(57)【特許請求の範囲】
【請求項１】
自動販売機本体と、人が搭乗する搭乗部及び該搭乗部を駆動する駆動機構部を備えた遊戯装置と、前記自動販売機本体及び遊戯装置の作動を制御する制御手段とを有し、前記自動販売機本体と遊戯装置とが前記制御手段を介して相互に接続されてなり、
前記自動販売機本体は、予め内部に収容された商品を外部に排出する商品排出機構と、前記商品の代価を受け付ける代価受付機構とを備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記駆動機構部を作動させるように構成されてなることを特徴とする自動販売機。
【請求項２】
自動販売機本体と、人が搭乗する搭乗部及び該搭乗部を駆動する駆動機構部を備えた遊戯装置と、前記自動販売機本体及び遊戯装置の作動を制御する制御手段とを有し、前記自動販売機本体と遊戯装置とが前記制御手段を介して相互に接続されてなり、
前記自動販売機本体は、予め内部に収容された商品を外部に排出する商品排出機構を備え、前記遊戯装置は、前記商品の代価を受け付ける代価受付機構を備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記駆動機構部を作動させるように構成されてなることを特徴とする自動販売機。
【請求項３】
自動販売機本体と、マッサージ機構部を備えたマッサージ装置と、前記自動販売機本体及びマッサージ装置の作動を制御する制御手段とを有し、前記自動販売機本体とマッサージ装置とが前記制御手段を介して相互に接続されてなり、
前記自動販売機本体は、予め内部に収容された商品を外部に排出する商品排出機構と、前記商品の代価を受け付ける代価受付機構とを備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記マッサージ機構部を作動させるように構成されてなることを特徴とする自動販売機。
【請求項４】
自動販売機本体と、マッサージ機構部を備えたマッサージ装置と、前記自動販売機本体及びマッサージ装置の作動を制御する制御手段とを有し、前記自動販売機本体とマッサージ装置とが前記制御手段を介して相互に接続されてなり、
前記自動販売機本体は、予め内部に収容された商品を外部に排出する商品排出機構を備え、前記マッサージ装置は、前記商品の代価を受け付ける代価受付機構を備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記マッサージ機構部を作動させるように構成されてなることを特徴とする自動販売機。
【請求項５】
自動販売機本体と、ガスを吐出する吐出機構部を備えたガス供給装置と、前記自動販売機本体及びガス供給装置の作動を制御する制御手段とを有し、前記自動販売機本体とガス供給装置とが前記制御手段を介して相互に接続されてなり、
前記自動販売機本体は、予め内部に収容された商品を外部に排出する商品排出機構と、前記商品の代価を受け付ける代価受付機構とを備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記吐出機構部を作動させるように構成されてなることを特徴とする自動販売機。
【請求項６】
自動販売機本体と、ガスを吐出する吐出機構部を備えたガス供給装置と、前記自動販売機本体及びガス供給装置の作動を制御する制御手段とを有し、前記自動販売機本体とガス供給装置とが前記制御手段を介して相互に接続されてなり、
前記自動販売機本体は、予め内部に収容された商品を外部に排出する商品排出機構を備え、前記ガス供給装置は、前記商品の代価を受け付ける代価受付機構を備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記吐出機構部を作動させるように構成されてなることを特徴とする自動販売機。
【請求項７】
自動販売機本体と、人を運動させるための動作機構部を備えた運動装置と、前記自動販売機本体及び運動装置の作動を制御する制御手段とを有し、前記自動販売機本体と運動装置とが前記制御手段を介して相互に接続されてなり、
前記自動販売機本体は、予め内部に収容された商品を外部に排出する商品排出機構と、前記商品の代価を受け付ける代価受付機構とを備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記動作機構部を作動させるように構成されてなることを特徴とする自動販売機。
【請求項８】
自動販売機本体と、人を運動させるための動作機構部を備えた運動装置と、前記自動販売機本体及び運動装置の作動を制御する制御手段とを有し、前記自動販売機本体と運動装置とが前記制御手段を介して相互に接続されてなり、
前記自動販売機本体は、予め内部に収容された商品を外部に排出する商品排出機構を備え、前記運動装置は、前記商品の代価を受け付ける代価受付機構を備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記動作機構部を作動させるように構成されてなることを特徴とする自動販売機。
【請求項９】
自動販売機本体と、人の状態を測定する測定機構部を備えた測定装置と、前記自動販売機本体及び測定装置の作動を制御する制御手段とを有し、前記自動販売機本体と測定装置とが前記制御手段を介して相互に接続されてなり、
前記自動販売機本体は、予め内部に収容された商品を外部に排出する商品排出機構と、前記商品の代価を受け付ける代価受付機構とを備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記測定機構部を作動させるように構成されてなることを特徴とする自動販売機。
【請求項１０】
自動販売機本体と、人の状態を測定する測定機構部を備えた測定装置と、前記自動販売機本体及び測定装置の作動を制御する制御手段とを有し、前記自動販売機本体と測定装置とが前記制御手段を介して相互に接続されてなり、
前記自動販売機本体は、予め内部に収容された商品を外部に排出する商品排出機構を備え、前記測定装置は、前記商品の代価を受け付ける代価受付機構を備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記測定機構部を作動させるように構成されてなることを特徴とする自動販売機。
【請求項１１】
自動販売機本体と、覗き穴から人に表示対象を見せるための表示機構部を備えた表示装置と、前記自動販売機本体及び表示装置の作動を制御する制御手段とを有し、前記自動販売機本体と表示装置とが前記制御手段を介して相互に接続されてなり、
前記自動販売機本体は、予め内部に収容された商品を外部に排出する商品排出機構と、前記商品の代価を受け付ける代価受付機構とを備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記表示機構部を作動させるように構成されてなることを特徴とする自動販売機。
【請求項１２】
自動販売機本体と、覗き穴から人に表示対象を見せるための表示機構部を備えた表示装置と、前記自動販売機本体及び表示装置の作動を制御する制御手段とを有し、前記自動販売機本体と表示装置とが前記制御手段を介して相互に接続されてなり、
前記自動販売機本体は、予め内部に収容された商品を外部に排出する商品排出機構を備え、前記表示装置は、前記商品の代価を受け付ける代価受付機構を備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記表示機構部を作動させるように構成されてなることを特徴とする自動販売機。
【請求項１３】
自動販売機本体と、音声聴取位置にいる人に音声を聞かせるための音声出力機構部を備えた音声出力装置と、前記自動販売機本体及び音声出力装置の作動を制御する制御手段とを有し、前記自動販売機本体と音声出力装置とが前記制御手段を介して相互に接続されてなり、
前記自動販売機本体は、予め内部に収容された商品を外部に排出する商品排出機構と、前記商品の代価を受け付ける代価受付機構とを備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記音声出力機構部を作動させるように構成されてなることを特徴とする自動販売機。
【請求項１４】
自動販売機本体と、音声聴取位置にいる人に音声を聞かせるための音声出力機構部を備えた音声出力装置と、前記自動販売機本体及び音声出力装置の作動を制御する制御手段とを有し、前記自動販売機本体と音声出力装置とが前記制御手段を介して相互に接続されてなり、
前記自動販売機本体は、予め内部に収容された商品を外部に排出する商品排出機構を備え、前記音声出力装置は、前記商品の代価を受け付ける代価受付機構を備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記音声出力機構部を作動させるように構成されてなることを特徴とする自動販売機。
【発明の詳細な説明】
【技術分野】
【０００１】
本発明は、内部に収容された商品の代価に相当する代価を受け付けて、当該商品を外部に排出するように構成された自動販売機に関する。
【背景技術】
【０００２】
前記自動販売機として、従来、例えば、特開平６−６０２５６号公報に開示されたものが知られている。この自動販売機は、予め内部に収容された商品を外部に排出する商品排出機構と、お金を投入するための投入口（代価受付機構）と、各種情報を表示するとともに、所定の情報を入力するためのいわゆるタッチ式のディスプレイと、商品排出機構の作動を制御するとともに、ディスプレイに各種情報を表示させ且つディスプレイから入力された情報を処理する制御装置などを備えている。【０００３】
前記制御装置は、投入口から投入されたお金が一定額以上となったときに、商品選択画面をディスプレイに表示させる処理と、この商品選択画面を見た購入者によってディスプレイから入力される情報を基に、選択された商品（排出すべき商品）を認識して、対応する商品を商品排出機構により外部に排出させる処理と、商品排出後、ディスプレイに表示させた各種情報及びディスプレイから入力される情報を基に、例えば、スロットマシンに類似した、絵柄を揃えるゲームなどを提供する処理と、ゲーム終了後、絵柄が揃っているか否かを確認して、揃っている場合には、商品選択画面を再びディスプレイに表示させるとともに、ディスプレイから入力される情報を基に、選択された商品を認識して、対応する商品を商品排出機構により外部に排出させる処理とを順次実行する。【０００４】
このように構成された自動販売機では、単に商品を販売するだけでなく、商品の購入者に絵柄を揃えるゲームを楽しませるとともに、購入者が当該ゲームにおいて絵柄を揃えた場合には、おまけとして無料で商品を提供することで、当該自動販売機の利用者を増やし、商品販売量の増加が図られている。【０００５】
【特許文献１】特開平６−６０２５６号公報
【発明の開示】
【発明が解決しようとする課題】
【０００６】
ところが、上記従来の自動販売機では、提供されるゲームはいわゆるテレビゲームであり、どのようなゲームが提供されるかといったことにもよるが、このようなゲームに興味の無い購入者（特に、女性や幼児など）を引き付け難い、即ち、ゲームに興味の無い購入者に対して、当該自動販売機で商品を購入しようという気持ちにさせ難いという問題があった。また、ゲームの内容はありふれたものが多く、このことも購入者の気を引き難い原因となっている。【０００７】
本発明は、以上の実情に鑑みなされたものであって、従来にないサービスを提供して購入者の興味を引き、商品販売量を増加させることができる自動販売機の提供をその目的とする。
【課題を解決するための手段】
【０００８】
上記目的を達成するための本発明は、
自動販売機本体と、人が搭乗する搭乗部及び該搭乗部を駆動する駆動機構部を備えた遊戯装置と、前記自動販売機本体及び遊戯装置の作動を制御する制御手段とを有し、前記自動販売機本体と遊戯装置とが前記制御手段を介して相互に接続されてなり、
前記自動販売機本体は、予め内部に収容された商品を外部に排出する商品排出機構と、前記商品の代価を受け付ける代価受付機構とを備え、
前記制御手段は、前記代価受付機構によって受け付けられた代価を基に該受付代価が前記商品の代価に相当するものであるか否かを確認して、該商品の代価に相当する代価の受付を確認した場合に、前記商品排出機構を作動させて前記商品を外部に排出させるとともに、前記駆動機構部を作動させるように構成されてなることを特徴とする自動販売機に係る。【０００９】
この発明によれば、自動販売機本体の代価受付機構によって購入者から代価が受け付けられると、制御手段により、まず、当該代価受付機構による受付代価が商品の代価に相当するものであるか否かが確認される。そして、商品代価に相当する代価の受付が確認された場合には、制御手段により、商品排出機構が作動せしめられて商品が外部に排出されるとともに、遊戯装置の駆動機構部が作動せしめられる。【００１０】
尚、前記自動販売機本体には、前記遊戯装置に代えて、マッサージ機構部を備えたマッサージ装置や、ガスを吐出する吐出機構部を備えたガス供給装置、人を運動させるための動作機構部を備えた運動装置、人の状態を測定する測定機構部を備えた測定装置、覗き穴から人に表示対象を見せるための表示機構部を備えた表示装置、音声聴取位置にいる人に音声を聞かせるための音声出力機構部を備えた音声出力装置が接続されていても良い。【００１１】
また、前記マッサージ装置としては、例えば、購入者の肩や首、足、背中、全身などをマッサージするものを、前記ガス供給装置としては、例えば、香り成分を含んだ空気を吐出して購入者にその匂いを嗅がせるもの、酸素ガスを吐出して購入者に吸引させるもの、マイナスイオンを含んだ空気を吐出して購入者にマイナスイオンを摂取させるものを、前記運動装置としては、例えば、購入者を走らせたり、歩かせるものを、前記測定装置としては、例えば、購入者の健康状態（例えば、血圧や脈拍、体重、体脂肪率など）や口臭を測定するものを、前記表示装置としては、例えば、各種映像（例えば、占い，天気予報，ニュース（時事や株式、為替などに関するニュース）といった情報や風景、アニメ、ドラマ、映画、テレビゲームなど）をディスプレイに画面表示したり、適宜構造物（例えば、人形など）を動作させて、購入者に覗き穴から見せるもの、購入者が覗き穴から見る対象画像や対象物を遠近（前後）させて、対象の遠近（前後）に応じて焦点を調節する毛様体の収縮，弛緩を繰り返させることにより視力回復や目の疲労回復を図るものを、前記音声出力装置としては、例えば、音声聴取位置に設けられたヘッドホンや、音声聴取位置にいる人の耳と一定間隔を隔てて対峙するように設けられたスピーカ、音声聴取位置にいる人にのみ聞かせるべく指向性を持たせて音声を出力するスピーカから、音楽などの各種音声を出力するものを挙げることができるが、これらに限定されるものではない。【００１２】
また、更に、前記遊戯装置，マッサージ装置，ガス供給装置，運動装置，測定装置，表示装置及び音声出力装置は、自動販売機本体とは別体に設けられていても、一体的に設けられていても良く、また、前記遊戯装置，マッサージ装置，ガス供給装置，運動装置，測定装置，表示装置及び音声出力装置の内、どれを自動販売機本体に接続するかについては、当該自動販売機の設置場所や、当該自動販売機で販売する商品などに応じて適宜変更することが好ましい。【００１３】
このように、購入者は、当該自動販売機本体において商品を購入すると、商品の購入に対するサービスとして、上述のような遊戯装置，マッサージ装置，ガス供給装置，運動装置，測定装置，表示装置及び音声出力装置を利用することが可能になる。【００１４】
斯くして、本発明に係る自動販売機によれば、当該自動販売機で商品を購入した購入者に対して、遊戯装置，マッサージ装置，ガス供給装置，運動装置，測定装置，表示装置及び音声出力装置といった、従来には無いものを利用可能にしており、当該自動販売機を従来に比べて新鮮味のあるものにすることができるので、購入者の興味を引いて当該自動販売機で商品を購入させることができ、商品販売量を増やすことができる。また、年齢や性別に関係無く幅広い層の購入者の興味を引くことができ、当該自動販売機の利用促進を図ることができる。【００１５】
尚、前記代価受付機構は、前記自動販売機本体側ではなく、前記遊戯装置，マッサージ装置，ガス供給装置，運動装置，測定装置，表示装置及び音声出力装置側に設けられていても良い。通常、自動販売機本体において代価受付機構は、当該自動販売機本体の上部側に設けられており、この位置では、背の低い幼児達にとって利用し難い場合がある。そこで、代価受付機構を、幼児などを対象にした遊戯装置，マッサージ装置，ガス供給装置，運動装置，測定装置，表示装置及び音声出力装置側に設けるようにすれば、代価受付機構の配設位置を自動販売機本体に設けているときよりも低くすることができ、幼児達でも利用し易くすることができる。
【発明の効果】
【００１６】
以上のように、本発明に係る自動販売機によれば、自動販売機本体と、遊戯装置やマッサージ装置、ガス供給装置、運動装置、測定装置、表示装置、音声出力装置とを接続しており、当該自動販売機を、テレビゲーム機能を有する従来の自動販売機に比べて新鮮味のあるものとすることができるとともに、幅広い層の購入者の興味を引いて商品販売量の増加につなげることができる。また、代価受付機構を遊戯装置，マッサージ装置，ガス供給装置，運動装置，測定装置，表示装置及び音声出力装置側に設けるようにすれば、当該自動販売機を幼児達に利用し易くすることができる。
【図面の簡単な説明】
【００１７】
【図１】本発明の一実施形態に係る自動販売機の概略構成を示した斜視図である。
【図２】図１に示した自動販売機のブロック図である。
【図３】本発明の他の実施形態に係る自動販売機の概略構成を示したブロック図である。
【図４】本発明の他の実施形態に係る操作盤の概略構成を示した正面図である。
【図５】本発明の他の実施形態に係る操作器の概略構成を示した正面図である。
【図６】本発明の他の実施形態に係る自動販売機の概略構成を示したブロック図である。
【図７】本発明の他の実施形態に係る自動販売機の概略構成を示した斜視図である。
【図８】図７に示した自動販売機のブロック図である。
【図９】本発明の他の実施形態に係る自動販売機の概略構成を示したブロック図である。
【図１０】本発明の他の実施形態に係る自動販売機の概略構成を示したブロック図である。
【図１１】接続機構などの概略構成を示した側面図である。
【図１２】図１１に示した接続機構などの平面図である。
【図１３】接続機構などの概略構成を示した側面図である。
【図１４】図１３に示した接続機構などの平面図である。
【図１５】マッサージ装置の一例を示した側面図である。
【図１６】ガス供給装置の一例を示した斜視図である。
【図１７】運動装置の一例を示した斜視図である。
【図１８】測定装置の一例を示した斜視図である。
【図１９】測定装置の一例を示した斜視図である。
【図２０】表示装置及び音声出力装置の一例を示した斜視図である。
【図２１】表示装置の一例を示した斜視図である。
【符号の説明】
【００１８】
１      遊戯装置
１０    自動販売機本体
１０ａ  脚
１１    商品見本陳列部
１２    商品選択機構
１２ａ  商品選択ボタン
１２ｂ  選択商品検出部
１３    代価受付機構
１３ａ  硬貨投入口
１３ｂ  紙幣投入口
１３ｃ  投入金額検出部
１４    商品排出機構
１４ａ  商品取出口
１７    制御装置
１８    装置選択機構
１８ａ  装置選択ボタン
１８ｂ  選択装置検出部
１９    扉
２０    遊戯装置
２１    ぬいぐるみ
２２    形態部
２３    装着部
２４    駆動機構部
２５    基台
２６    運動台
【発明を実施するための最良の形態】
【００１９】
以下、本発明の具体的な実施形態について、添付図面に基づき説明する。尚、図１は、本発明の一実施形態に係る自動販売機の概略構成を示した斜視図であり、図２は、図１に示した自動販売機のブロック図である。【００２０】
図１及び図２に示すように、本例の自動販売機１は、自動販売機本体１０と、遊戯装置２０と、これら自動販売機本体１０及び遊戯装置２０の作動を制御し、当該自動販売機本体１０に内蔵された制御装置１７とから構成されており、例えば、デパートやスーパーマーケットの遊戯コーナーなどに設置される。【００２１】
前記自動販売機本体１０は、前記制御装置１７の他、当該自動販売機本体１０の前面側上部に形成され、予め内部に収容された複数の商品の見本が陳列される商品見本陳列部１１と、商品見本陳列部１１に陳列された各商品の中から所望の商品を選択するための商品選択機構１２と、各商品の代価を受け付ける代価受付機構１３と、予め内部に収容された商品を外部に排出する商品排出機構１４などを備えており、下面の４隅に脚１０ａがそれぞれ設けられている。尚、前記各商品はすべて同じ価格に設定されているものとする。【００２２】
前記商品選択機構１２は、商品見本陳列部１１の下側に、この商品見本陳列部１１に陳列された各商品にそれぞれ対応して設けられる複数の商品選択ボタン１２ａと、各商品選択ボタン１２ａの内、どのボタン１２ａが押されたかを検出し、検出した商品選択ボタン１２ａに係るデータを制御装置１７に送信する選択商品検出部１２ｂとからなり、前記代価受付機構１３は、各商品選択ボタン１２ａの下側に設けられ、硬貨及び紙幣を投入するための硬貨投入口１３ａ及び紙幣投入口１３ｂと、硬貨投入口１３ａ及び紙幣投入口１３ｂから投入された硬貨及び紙幣の金額を検出して、検出した金額に係るデータを制御装置１７に送信する投入金額検出部１３ｃとからなり、前記商品排出機構１４は、自動販売機本体１０の前面側下部に形成され、商品を外部に取り出すための商品取出口１４ａを備え、この商品取出口１４ａに商品を排出するように構成されている。【００２３】
尚、前記自動販売機本体１０には、更に、各商品選択ボタン１２ａの下側に設けられ、硬貨投入口１３ａ及び紙幣投入口１３ｂから投入された硬貨及び紙幣の合計金額が表示されるディスプレイ１５と、当該自動販売機本体１０の下部に設けられ、釣銭を取り出すための釣銭取出口１６と、水平方向に回転して前面側に開口し、オペレータが当該自動販売機本体１０内部に商品を収容する際などに開ける扉１９とが形成されている。【００２４】
前記制御装置１７は、投入金額検出部１３ｃから金額に係るデータが送信されたときに、即ち、硬貨投入口１３ａ及び紙幣投入口１３ｂから硬貨又は紙幣が投入されたときに、以下に示すような一連の処理を開始する。【００２５】
具体的には、制御装置１７は、投入金額検出部１３ｃから送信された金額に係るデータを基に、硬貨投入口１３ａや紙幣投入口１３ｂから投入された硬貨や紙幣の合計金額を算出して、算出した合計金額を前記ディスプレイ１５に表示させるとともに、算出した合計金額が一定額以上（前記各商品の価格以上）となったか否かを確認する第１処理と、算出合計金額が一定額以上となっているときに、選択商品検出部１２ｂから送信される商品選択ボタン１２ａに係るデータを基に、選択された商品（排出すべき商品）を認識して、対応する商品を商品排出機構１４によって商品取出口１４ａに排出させるとともに、前記算出合計金額と商品の価格とを基に釣銭を算出して、釣銭がある場合には、釣銭を釣銭取出口１６に排出する第２処理と、前記遊戯装置２０を所定時間作動させる第３処理とを順次実行するように構成される。【００２６】
前記遊戯装置２０は、購入者が搭乗するぬいぐるみ２１と、ぬいぐるみ２１を駆動する駆動機構部２４とから構成される。【００２７】
前記駆動機構部２４は、基台２５と、この基台２５に連結され、図示しないアクチュエータによって矢示Ａ−Ｂ方向（前後方向）への揺動動作や矢示Ｃ−Ｄ方向（水平回転方向）への回転動作を行う運動台２６とからなり、アクチュエータ（図示せず）の作動が前記制御装置１７によって制御される。一方、前記ぬいぐるみ２１は、動物などを形取った形態部２２と、この形態部２２に連結され、駆動機構部２４を被うように装着された袋状の装着部２３とからなる。【００２８】
そして、この遊戯装置２０では、購入者は、駆動機構部２４によって矢示Ａ−Ｂ方向へ揺動したり、矢示Ｃ−Ｄ方向へ回転するぬいぐるみ２１の上に跨り、あたかも動物の上に乗っているかのような感覚を味わう遊戯を楽しむことができる。【００２９】
以上のように構成された本例の自動販売機１によれば、購入者によって硬貨や紙幣（お金）が硬貨投入口１３ａ及び紙幣投入口１３ｂから投入されると、投入された硬貨や紙幣の金額が投入金額検出部１３ｃによって検出され、検出金額に係るデータが当該投入金額検出部１３ｃから制御装置１７に送信される。【００３０】
制御装置１７では、受信した金額に係るデータを基に、投入された硬貨や紙幣の合計金額が算出されて、算出された合計金額がディスプレイ１５に表示されるとともに、算出された合計金額が一定額以上（前記各商品の価格以上）となったか否かが確認される。【００３１】
そして、算出合計金額が一定額以上となっているときには、購入者によって所望の商品に対応した商品選択ボタン１２ａが押されると、各商品選択ボタン１２ａの内、どのボタン１２ａが押されたかが選択商品検出部１２ｂにより検出されて、検出された商品選択ボタン１２ａに係るデータが制御装置１７に送信され、当該制御装置１７により、受信した商品選択ボタン１２ａに係るデータを基に、選択された商品（排出すべき商品）が認識されて、対応する商品が、商品排出機構１４により商品取出口１４ａに排出される。【００３２】
この後、購入者は、商品取出口１４ａから商品を取り出すことで、当該商品を手にすることができ、また、制御装置１７により、遊戯装置２０の駆動機構部２４が所定時間駆動されるので、購入者は、矢示Ａ−Ｂ方向へ揺動したり、矢示Ｃ−Ｄ方向へ回転するぬいぐるみ２１の上に跨って遊戯することができる。【００３３】
斯くして、本例の自動販売機１によれば、当該自動販売機１で商品を購入した購入者に対して、遊戯装置２０という、従来には無いものを利用可能にしており、当該自動販売機１を従来に比べて新鮮味のあるものにすることができるので、購入者の興味を引いて当該自動販売機１で商品を購入させることができ、商品販売量を増やすことができる。また、幼児や、幼児を連れた親の興味をより強く引くことができ、当該自動販売機１の利用促進を図ることができる。【００３４】
以上、本発明の一実施形態について説明したが、本発明の採り得る具体的な態様は、何らこれに限定されるものではない。【００３５】
上例では、前記自動販売機本体１０側に、前記商品選択機構１２，代価受付機構１３，ディスプレイ１５，釣銭取出口１６及び制御装置１７を設けたが、これに限られるものではなく、図３乃至図５に示すように、これら商品選択機構１２，代価受付機構１３，ディスプレイ１５，釣銭取出口１６及び制御装置１７を遊戯装置２０側に設けて自動販売機２を構成しても良い。尚、図３は、本発明の他の実施形態に係る自動販売機の概略構成を示したブロック図であり、図４は、本発明の他の実施形態に係る操作盤の概略構成を示した正面図であり、図５は、本発明の他の実施形態に係る操作器の概略構成を示した正面図である。【００３６】
この場合、前記遊戯装置２０には、当該遊戯装置２０の近傍に配設され、前記商品選択機構１２，代価受付機構１３，ディスプレイ１５，釣銭取出口１６及び制御装置１７を備える、図４に示すような操作盤２７が設けられたり、ぬいぐるみ２１に付設され、前記商品選択機構１２，代価受付機構１３，ディスプレイ１５，釣銭取出口１６及び制御装置１７を備える、図５に示すような操作器２８が設けられる。【００３７】
そして、前記操作盤２７及び操作器２８は、その上部側に代価受付機構１３の硬貨投入口１３ａ及び紙幣投入口１３ｂとディスプレイ１５とを備え、これら硬貨投入口１３ａ，紙幣投入口１３ｂ及びディスプレイ１５の下側に商品選択機構１２の複数の商品選択ボタン１２ａを備え、当該操作盤２７及び操作器２８の下部側に釣銭取出口１６を備えている。【００３８】
また、操作盤２７は、幼児でも硬貨投入口１３ａ及び紙幣投入口１３ｂから硬貨や紙幣を投入したり、商品選択ボタン１２ａを押し易いように、その高さが幼児に合わせて低く設定され、また、操作器２８についても、幼児が硬貨投入口１３ａ及び紙幣投入口１３ｂから硬貨や紙幣を投入したり、商品選択ボタン１２ａを押し易いように、その取付高さが適宜調整されてぬいぐるみ２１に取り付けられている。【００３９】
このように自動販売機２を構成すると、上記と同様の効果を得ることができる他、次のような効果を得ることもできる。即ち、図１及び図２に示したような自動販売機本体１０では、硬貨投入口１３ａ及び紙幣投入口１３ｂや各商品選択ボタン１２ａは、当該自動販売機本体１０の上部側に設けられており、この位置では、背の低い幼児達が硬貨や紙幣を投入したり、各商品選択ボタン１２ａを押し難い場合があるが、上記のように、商品選択機構１２，代価受付機構１３，ディスプレイ１５及び釣銭取出口１６を遊戯装置２０側に設けることで、硬貨投入口１３ａ及び紙幣投入口１３ｂや各商品選択ボタン１２ａの位置を自動販売機本体１０側に設けられていたときよりも低くすることができ、幼児達であっても当該自動販売機２を利用し易くすることができる。【００４０】
また、特に図示はしないが、制御装置１７を自動販売機本体１０側に、商品選択機構１２，代価受付機構１３，ディスプレイ１５及び釣銭取出口１６を遊戯装置２０側に設けたり、商品選択機構１２，代価受付機構１３，ディスプレイ１５及び釣銭取出口１６を自動販売機本体１０側に、制御装置１７を遊戯装置２０側に設けるようにしても良い。【００４１】
また、更に、図６に示すように、自動販売機本体１０側と遊戯装置２０側の両方に、商品選択機構１２，代価受付機構１３，ディスプレイ１５，釣銭取出口１６及び制御装置１７を設けることもできる。この場合、自動販売機本体１０側及び遊戯装置２０側のどちら側からでも、硬貨や紙幣を硬貨投入口１３ａ及び紙幣投入口１３ｂから投入したり、商品選択ボタン１２ａを押すことができるので、大人は自動販売機本体１０側を利用し、幼児は遊戯装置２０側を利用するといったことが可能となり、当該自動販売機の使い勝手が向上する。【００４２】
また、図７及び図８に示すように、自動販売機本体１０に複数の遊戯装置２０（図示例では２つの遊戯装置２０Ａ，２０Ｂ）を接続して自動販売機５を構成することもできる。尚、各遊戯装置２０は、ぬいぐるみ２１の形態がそれぞれ異なるように構成され、他の部分は同じ構成となっている。また、図７は、本発明の他の実施形態に係る自動販売機の概略構成を示した斜視図であり、図８は、図７に示した自動販売機のブロック図である。【００４３】
この場合、前記自動販売機本体１０は、どちらの遊戯装置２０を作動させるのかを選択するための装置選択機構１８を更に備え、この装置選択機構１８は、硬貨投入口１３ａ及び紙幣投入口１３ｂやディスプレイ１５の下側に、各遊戯装置２０にそれぞれ対応して設けられる装置選択ボタン１８ａと、どちらの装置選択ボタン１８ａが押されたかを検出し、検出した装置選択ボタン１８ａに係るデータを制御装置１７に送信する選択装置検出部１８ｂとからなる。【００４４】
また、前記制御装置１７は、前記第３処理を実行するに当たり、選択装置検出部１８ｂから送信される装置選択ボタン１８ａに係るデータを基に、選択された遊戯装置２０（作動させるべき遊戯装置２０）を認識して、対応する遊戯装置２０の駆動機構部２４を所定時間作動させる。【００４５】
このように構成された自動販売機５によれば、購入者によって商品選択ボタン１２ａが押され、対応する商品が商品排出機構１４により商品取出口１４ａに排出された後、購入者によって乗りたい方の装置選択ボタン１８ａが押されると、選択装置検出部１８ｂによって、どちらの装置選択ボタン１８ａが押されたが検出され、検出された装置選択ボタン１８ａに係るデータが制御装置１７に送信される。そして、当該制御装置１７では、受信した装置選択ボタン１８ａに係るデータを基に、選択された遊戯装置２０が認識され、対応する遊戯装置２０を所定時間作動させる。【００４６】
したがって、このように自動販売機５を構成すれば、購入者は、装置選択機構１８により複数の遊戯装置２０の中から希望する遊戯装置２０を選択して作動させることができるので、当該自動販売機５を購入者の多様な趣味感や好みにより合わせ易くすることができ、購入者の興味をより強く引くことができる。【００４７】
また、このような自動販売機５においても、前記自動販売機２と同様、図９に示すように、前記商品選択機構１２，代価受付機構１３，ディスプレイ１５，釣銭取出口１６，制御装置１７及び装置選択機構１８を遊戯装置２０の一方（図示例では、遊戯装置２０Ａ）に設けて自動販売機６を構成しても良い。尚、前記商品選択機構１２，代価受付機構１３，ディスプレイ１５，釣銭取出口１６，制御装置１７及び装置選択機構１８は、特に図示はしないが、図４に示すような操作盤２７や、図５に示すような操作器２８に設けられる。また、図９は、本発明の他の実施形態に係る自動販売機の概略構成を示したブロック図である。【００４８】
また、特に図示はしないが、制御装置１７を自動販売機本体１０側に、商品選択機構１２，代価受付機構１３，ディスプレイ１５，釣銭取出口１６及び装置選択機構１８を遊戯装置２０の一方側に設けたり、商品選択機構１２，代価受付機構１３，ディスプレイ１５，釣銭取出口１６及び装置選択機構１８を自動販売機本体１０側に、制御装置１７を遊戯装置２０の一方側に設けるようにしても良く、また、更に、図１０に示すように、自動販売機本体１０側と遊戯装置２０の一方側の両方に、商品選択機構１２，代価受付機構１３，ディスプレイ１５，釣銭取出口１６，制御装置１７及び装置選択機構１８を設けることもできる。【００４９】
また、遊戯装置２０Ａだけでなく、各遊戯装置２０のそれぞれに、前記商品選択機構１２，代価受付機構１３，ディスプレイ１５，釣銭取出口１６，制御装置１７及び装置選択機構１８を設けるようにしても良い。【００５０】
また、前記自動販売機本体１０と遊戯装置２０とは、図１１及び図１２に示すような接続機構３５により接続するようにしても良く、この接続機構３５は、下面に４つの脚３６ａ及びキャスタ３６ｂを備え、上面に遊戯装置２０が載置，固定される載置台３６と、自動販売機本体１０の脚１０ａによって当該自動販売機本体１０と設置面Ｓとの間に形成された空間内に一端側が挿入されて、当該自動販売機本体１０の下面に矢示方向に揺動自在に取り付けられ、他端側が載置台３６に固設された接続部材３７とから構成される。【００５１】
前記載置台３６は、その上面の高さが自動販売機本体１０の扉１９の下面よりも低く形成され、通常、自動販売機本体１０の前面側に配置される。また、前記脚３６ａは、上下方向の長さが調節可能になっており、通常、キャスタ３６ｂが浮いた状態となるように、当該脚３６ａの長さが調整されている。【００５２】
また、載置台３６は、キャスタ３６ｂが設置面Ｓと当接するように脚３６ａの長さが調整された後、接続部材３７の一端側を中心に旋回せしめられることで、扉１９が開く方向とは反対側の、当該扉１９の開口移動経路上からそれた位置に退避可能となっている。【００５３】
ところで、前記自動販売機本体１０と遊戯装置２０とを接続するに当たり、例えば、これらを別々に配設して、ただ単に接続ケーブルなどで自動販売機本体１０と遊戯装置２０とを接続したのでは、接続ケーブルが切断されて遊戯装置２０（自動販売機本体１０に接続された装置）が盗まれるといったことが考えられる。【００５４】
そこで、上述のように、接続機構３５を介して遊戯装置２０を自動販売機本体１０に取り付けるようにすれば、このような問題を効果的に解消することができる。【００５５】
尚、前記接続機構３５において、接続部材３７の一方端側を、自動販売機本体１０の下面に矢示方向に揺動自在に取り付ける必要は必ずしもなく、非回転に固設しても良い。但し、この場合、載置台３６は、前記退避位置に配設しておかなければならない。【００５６】
また、前記接続機構３５は、図１３及び図１４に示すような接続機構４０として構成することもでき、この接続機構４０は、下面に４つの脚４１ａ及びキャスタ４１ｂを備え、上面に遊戯装置２０が載置，固定される載置台４１と、自動販売機本体１０の前後方向に貫通した係合穴４２ａを有し、自動販売機本体１０の下面に固設される係合部材４２と、係合部材４２の係合穴４２ａに矢示方向（自動販売機本体１０の前後方向）に移動自在に係合し、一端側が載置台４１に固設された案内部材４３とから構成される。【００５７】
前記載置台４１は、その上面の高さが扉１９の下面よりも低く形成され、自動販売機本体１０の前面側に配置される。また、前記脚４１ａは、上下方向の長さが調節可能になっており、通常、キャスタ４１ｂが浮いた状態となるように、当該脚４１ａの長さが調整されている。【００５８】
また、載置台４１は、キャスタ４１ｂが設置面Ｓと当接するように脚４１ａの長さが調整された後、係合部材４２と案内部材４３との係合関係によりこれらに案内されて矢示方向に移動せしめられることで、扉１９の開口移動経路上からそれた位置に退避可能となっている。したがって、このように接続機構４０を構成しても、上記と同様の効果を得ることができる。【００５９】
また、上例では、自動販売機本体１０に接続する装置の一例として、遊戯装置２０を挙げて説明したが、当該自動販売機本体１０には、この他、例えば、図１５に示すようなマッサージ器５０、図１６に示すようなガス供給装置５５、図１７に示すようなフィットネス機器（運動装置）７５、図１８に示すような健康診断装置８５、図１９に示すような口臭測定装置９０、図２０に示すような視聴装置（表示装置及び音声出力装置）９５、図２１に示すような視力回復装置（表示装置）８０などを接続することができる。【００６０】
図１５に示したマッサージ器５０は、購入者Ｋが搭乗する基台５１と、基台５１に取り付けられ、購入者Ｋが凭れ掛る背凭れ５２と、基台５１及び背凭れ５２にそれぞれ内蔵されて購入者Ｋをマッサージし、前記制御装置１７によってその作動が制御されるマッサージ機構部（図示せず）とからなり、購入者Ｋの足と背中をマッサージする。尚、マッサージ器５０は、肩や首、全身などをマッサージするように構成されていても良い。【００６１】
また、図１６に示したガス供給装置５５は、椀状をした吸入部材５６と、一端側が吸入部材５６に接続した接続管５７と、接続管５７の他端側が接続され、前記制御装置１７によってその作動が制御されるとともに、所定のガスを吸入部材５６から外部に吐出する吐出機構部５８とからなり、吐出機構部５８は、外側が矩形状に形成されて自動販売機本体１０の上面に配設され、吸入部材５６は、自動販売機本体１０の前面側に配置される。【００６２】
また、前記吐出機構部５８は、酸素ガスを吸入部材５６から吐出して購入者Ｋに吸入，摂取させたり、マイナスイオンを含んだ空気を吸入部材５６から吐出してマイナスイオンを購入者Ｋに吸入，摂取させたり、香り成分を含んだ空気を吸入部材５６から吐出してその匂いを購入者Ｋに嗅がせるように構成される。酸素ガスを摂取させると、新陳代謝を高めたり、運動時に生成される乳酸の分解を促進して疲労回復を図るといった効果が得られ、マイナスイオンを摂取させると、新陳代謝を高めるなどの効果が得られ、匂いを嗅がせると、単に匂いを楽しませるだけでなく、購入者Ｋをリラックスさせるなどアロマテラピーと同様の効果も得られる。【００６３】
尚、接続管５７は、吸入部材５６の配置高さを調整可能に構成されていても良く、また、前記制御装置１７は、前記吐出機構部５８が香り成分の含んだ空気を吐出する場合において、購入者Ｋが適宜選択した香り成分を含む空気や、購入者Ｋの購入商品と関連付けられた香り成分を含む空気を、当該吐出機構部５８により吐出させたり、購入者Ｋの購入商品と関連付けられた香り成分を購入者Ｋに通知するように構成されていても良い。【００６４】
また、図１７に示したフィットネス機器７５は、購入者が搭乗する無端環状のベルト７６と、ベルト７６を回動自在に支持するハウジング７７と、ハウジング７７に内蔵され、ベルト７６を所定の速度で回動させる駆動機構部（図示せず）とを備えた動作機構部７８、及びハウジング７７に付設され、前記制御装置１７による制御の下、駆動機構部（図示せず）の作動制御を行う操作器７９からなり、購入者がベルト７６の回動速度に合わせて走ったり、歩くように構成される。尚、当該フィットネス機器７５は、折りたたみ可能に構成され、折りたたまれた状態で、例えば、自動販売機本体１０の側面に立て掛けられるように構成されていても良い。【００６５】
また、図１８に示した健康診断装置８５は、体重及び体脂肪率を測定する体重測定機構部８６と、脈拍を測定する脈拍測定機構部８７と、血圧を測定する血圧測定機構部８８と、各測定機構部８６，８７，８８による測定結果を画面表示したり、印刷する出力部（図示せず）とからなり、体重測定機構部８６が自動販売機本体１０の下面に前後方向に引き出し可能に設けられ、脈拍測定機構部８７及び血圧測定機構部８８が自動販売機本体１０の側面に設けられたものであり、購入者Ｋが自動販売機本体１０の前面側に引き出された体重測定機構部８６の上に乗ることで体重及び体脂肪率が測定され、購入者Ｋが脈拍測定機構部８７を握ることで脈拍が測定され、購入者Ｋが血圧測定機構部８８の穴内に腕を入れることで血圧が測定される。【００６６】
尚、前記健康診断装置８５は、各測定機構部８６，８７，８８による測定結果を出力部（図示せず）によってただ単に画面表示したり、印刷するのではなく、得られた測定結果から疲労度や健康状態などを評価してその評価結果を画面表示したり、印刷するようにしても良い。また、各測定機構部８６，８７，８８は、前記制御装置１７によってその作動が制御される。また、体重測定機構部８６は、手動で自動販売機本体１０の前面側に引き出されるように構成されていても、適宜駆動装置により自動販売機本体１０の前面側に引き出されるよう構成されていても良い。【００６７】
また、図１９に示した口臭測定装置９０は、椀状をした呼気導入部材９１と、一端側が呼気導入部材９１に接続した接続管９２と、接続管９２の他端側が接続され、前記制御装置１７によってその作動が制御されるとともに、口臭を測定する口臭測定機構部９３とからなり、購入者Ｋが呼気導入部材９１内に向けて息を吐き出すことで、吐き出した息が呼気導入部材９１から口臭測定機構部９３内に導かれ、当該口臭測定機構部９３により口臭が測定される。尚、口臭測定機構部９３は、外側が矩形状に形成されて自動販売機本体１０の上面に配設され、呼気導入部材９１は、自動販売機本体１０の前面側に配置される。また、接続管９２は、呼気導入部材９１の配置高さを調整可能に構成されていても良い。また、当該口臭測定装置９０は、呼気中に含まれるアルコールを検出，測定するように構成されていても良い。【００６８】
また、図２０に示した視聴装置９５は、画面表示を行うディスプレイ９７、前記制御装置１７による制御の下、各種映像（例えば、占い，天気予報，ニュース（時事や株式、為替情などに関するニュース）といった情報や風景、アニメ、ドラマ、映画、テレビゲームなど）をディスプレイ９７に画面表示する映像再生部（図示せず）、前面中央部に覗き穴９８ａが形成され、ディスプレイ９７，映像再生部（図示せず）及び後述の音声再生部（図示せず）を内部に収容する矩形状の収容部材９８を備えた表示機構部９６と、収容部材９８の両側面に一端側がそれぞれ接続した２本の支持アーム１０１、音声聴取位置にいる購入者Ｋの耳と一定間隔を隔てて対峙するように各接続アーム１０１の他端側に設けられ、音声を出力するスピーカ１０２、前記制御装置１７による制御の下、スピーカ１０２から各種音声（例えば、リラックスさせるための音楽や前記映像に対応した音声）を出力する音声再生部（図示せず）を備えた音声出力機構部１００と、収容部材９８の前面に設けられ、前記制御装置１７を介して映像再生部（図示せず）や音声再生部（図示せず）に入力信号を入力するための入力ボタン９９と、一端側が収容部材９８の上面に固設され、他端側が自動販売機本体１０の上面に矢示方向に揺動自在に取り付けられた接続アーム１０３などから構成されるものであり、購入者Ｋは、ディスプレイ９７に表示された画面に従い、所望の映像や音声と対応付けられた入力ボタン９９を押すことで、当該映像を覗き穴９８ａから見たり、当該音声をスピーカ１０２から聞くことができる。【００６９】
尚、収容部材９８は、映像を見たり、音声を聞くとき以外は、接続アーム１０３の揺動により商品見本陳列部１１を隠さない位置に配置され、映像を見たり、音声を聞くときに、購入者Ｋや適宜駆動装置によって自動販売機本体１０の前面側に揺動せしめられるようになっている。また、接続アーム１０３は、収容部材９８の配置高さを調整可能に構成されていても良い。また、前記視聴装置９５は、オンラインで提供される映像や音声を表示又は出力するように構成されていても良い。また、前記表示機構部９６は、ディスプレイ９７に映像を再生するのではなく、適宜構造物（例えば、人形など）を動作させてその動きを購入者Ｋに覗き穴９８ａから見せるように構成されていても良い。また、前記音声聴取位置は、当該収容部材９８の前面側に設定され、購入者Ｋが覗き穴９８ａから映像を見たり、スピーカ１０２から音声を聞くときの位置である。また、音声出力機構部１００は、前記支持アーム１０１及びスピーカ１０２に代えて、収容部材９８の前面に設けられたヘッドホンや、音声聴取位置に向け指向性を持たせて音声を出力するスピーカを備え、これらのヘッドホンやスピーカによって、音声聴取位置にいる購入者Ｋにのみ音声を聞かせるように構成されていても良い。【００７０】
このような視聴装置９５によれば、覗き穴９８ａのために購入者Ｋのみが表示対象（映像や構造物の動き）を見ることができ、また、スピーカ１０２が購入者Ｋの耳の近くに配置されて購入者Ｋのみが音声を聞くことができ、第３者は見たり、聞いたりすることができないので、このような覗き穴９８ａが設けられていない表示機構部や、このようなスピーカ１０２が設けられていない音声出力機構部を備えた自動販売機よりも、商品購入に対するサービス価値を高め、利用者を増やすことができる。また、視聴装置９５によって提供されるものが占いなどである場合、占い結果を第３者に見られたり、聞かれたりしないようにするという効果も得られる。【００７１】
また、図２１に示した視力回復装置８０は、購入者Ｋに対象画像や対象物を覗き穴８１ａから見せるとともに、当該対象画像や対象物を遠近（前後）させる表示機構部８１と、一端側が表示機構部８１に接続してこれを支持し、他端側が自動販売機本体１０の上面に矢示方向に揺動自在に取り付けられた接続アーム８２とからなる。購入者Ｋが覗き穴８１ａから表示機構部８１の内部を覗き込んで、遠近する対象画像や対象物を見ることにより、対象の遠近（前後）に応じて焦点を調節する毛様体の収縮，弛緩が繰り返されて毛様体が鍛えられ、視力回復や目の疲労回復が図られる。尚、表示機構部８１は、対象画像や対象物を見るとき以外は、接続アーム８２の揺動により商品見本陳列部１１を隠さない位置に配置され、対象画像や対象物を見るときに、購入者Ｋや適宜駆動装置によって自動販売機本体１０の前面側に揺動せしめられるようになっている。また、接続アーム８２は、表示機構部８１の配置高さを調整可能に構成されていても良い。【００７２】
このように、本例の自動販売機１，２，５，６では、遊戯装置２０，マッサージ器５０，ガス供給装置５５，フィットネス機器７５，健康診断装置８５，口臭測定装置９０，視聴装置９５及び視力回復装置８０などを自動販売機本体１０に接続可能であるが、どのようなものを自動販売機本体１０に接続するかは、自動販売機１，２，５，６の設置場所や、自動販売機１，２，５，６で販売する商品などに応じて適宜変更することが好ましく、このようにすれば、購入者の興味をより強く引いて当該自動販売機１，２，５，６での商品販売量を増やすことができる。【００７３】
また、自動販売機本体１０に複数の装置を接続するに当たっては、同種のものを接続しても良いが、例えば、遊戯装置２０，マッサージ器５０，ガス供給装置５５，フィットネス機器７５，健康診断装置８５，口臭測定装置９０，視聴装置９５及び視力回復装置８０をそれぞれ接続するなど、異種のものを組み合わせて接続するようにすれば、年齢や性別に関係無く幅広い層の購入者の興味を引いて、当該自動販売機１，２，５，６の更なる利用促進を図ることができる。【００７４】
また、制御装置１７が、遊戯装置２０，マッサージ器５０，ガス供給装置５５，フィットネス機器７５，健康診断装置８５，口臭測定装置９０，視聴装置９５及び視力回復装置８０などの各種装置を作動させるタイミングは、商品排出機構１４による商品の排出と同時に作動させるようにしたり、商品排出機構１４による商品の排出から一定時間経過後に作動させるようにしても良い。【００７５】
また、更に、遊戯装置２０，マッサージ器５０，ガス供給装置５５，フィットネス機器７５，健康診断装置８５，口臭測定装置９０，視聴装置９５及び視力回復装置８０などの各種装置に適宜作動ボタンを設け、この作動ボタンからの入力信号を受信した後に、制御装置１７が当該各種装置を作動させるように構成しても良い。このようにすると、購入者の準備ができてから装置が作動し始めるので、安全に作動させることができ、また、装置の機能を作動開始から作動終了まで利用することができる。【００７６】
また、遊戯装置２０，マッサージ器５０，ガス供給装置５５，フィットネス機器７５，健康診断装置８５，口臭測定装置９０，視聴装置９５及び視力回復装置８０などの各種装置を設ける態様については、上例に限定されず、自動販売機本体１０と一体的に設けることも、自動販売機本体１０とは別体に設けることもできる。
【産業上の利用可能性】
【００７７】
以上詳述したように、本発明は、利用者を増やすことができる自動販売機として好適である。
【図１】
0004877832.tif 000002
【図２】
0004877832.tif 000003
【図３】
0004877832.tif 000004
【図４】
0004877832.tif 000005
【図５】
0004877832.tif 000006
【図６】
0004877832.tif 000007
【図７】
0004877832.tif 000008
【図８】
0004877832.tif 000009
【図９】
0004877832.tif 000010
【図１０】
0004877832.tif 000011
【図１１】
0004877832.tif 000012
【図１２】
0004877832.tif 000013
【図１３】
0004877832.tif 000014
【図１４】
0004877832.tif 000015
【図１５】
0004877832.tif 000016
【図１６】
0004877832.tif 000017
【図１７】
0004877832.tif 000018
【図１８】
0004877832.tif 000019
【図１９】
0004877832.tif 000020
【図２０】
0004877832.tif 000021
【図２１】
0004877832.tif 000022